(57)【要約】【課題】  複数のボルト、ナットによる締め付け量を均一にすることが可能で、しかも構成が簡易なナット締付工具を提供する。【解決手段】  ナットＮを把持するソケット１１と、ソケット１１から延びる棒状のハンドル１２と、ソケット１１側に配設され、ナットＮから突出するボルトＢの先端部の突出量を規制するストッパ１３とを備えるラチェットレンチ１とする。ナットＮをソケット１１で把持した状態でナットＮを締め付けると、ナットＮからボルトＢの先端部が突出し、その突出量がストッパ１３のストッパピン１５によって均一に規制される。【選択図】  図１
2009262250.tif 000002
【特許請求の範囲】
【請求項１】
ナットを締め付けるレンチやスパナなどのナット締付工具であって、
前記ナットを把持する把持部と、
前記把持部から延びる棒状のハンドル部と、
前記把持部側に配設され、前記ナットから突出するボルトの先端部の突出量を規制する規制部と、
を備えることを特徴とするナット締付工具。
【請求項２】
ナットを締め付けるレンチやスパナなどのナット締付工具に取り付けられるナット締付工具用アダプタであって、
前記ナットを把持するナット締付工具の把持部側に着脱自在に取り付けられる取付部と、
前記取付部に配設され、前記ナットから突出するボルトの先端部の突出量を規制する規制部と、
を備えることを特徴とするナット締付工具用アダプタ。
【請求項３】
前記規制部による突出量が調整可能であることを特徴とする請求項１に記載のナット締付工具または請求項２に記載のナット締付工具アダプタ。
【請求項４】
ナットを締め付けるレンチやスパナなどのナット締付工具であって、
前記ナットを把持する把持部と、
前記把持部から延びる棒状のハンドル部と、
前記把持部側に配設され、前記ナットから突出するボルトの先端部の突出量を測定する測定部と、
を備えることを特徴とするナット締付工具。
【請求項５】
ナットを締め付けるレンチやスパナなどのナット締付工具に取り付けられるナット締付工具用アダプタであって、
前記ナットを把持するナット締付工具の把持部側に着脱自在に取り付けられる取付部と、
前記取付部に配設され、前記ナットから突出するボルトの先端部の突出量を測定する測定部と、
を備えることを特徴とするナット締付工具用アダプタ。
【発明の詳細な説明】
【技術分野】
【０００１】
この発明は、ナットを締め付けるレンチやスパナなどのナット締付工具および、ナット締付工具に取り付けられるナット締付工具用アダプタに関する。
【背景技術】
【０００２】
例えば、水力発電所に配設されている水圧鉄管は、パッキンを介して複数のボルト、ナットによって接続されている。すなわち、一方の水圧鉄管の一端部と他方の水圧鉄管の一端部との間にパッキンが配設され、一方の水圧鉄管の一端部に形成されたフランジと、他方の水圧鉄管の一端部に形成されたフランジとが、複数のボルト、ナットとによって接続されている。このような水圧鉄管の継手は、季節による温度変化や、満水時、断水時における圧力変化などによって、ボルト、ナットの締結に緩みが生じ、漏水のおそれが生じるため、ボルト、ナットの増し締めを行う必要がある。このとき、パッキンによる水密性が均一に確保されるように、各ボルト、ナットによる締め付け量が均一である必要がある。
【０００３】
一方、複数のボルト、ナットによる締め付けが均一になるようにする締付装置が知られている（例えば、特許文献１参照。）。この締付装置は、油圧ポンプの吐出ホースに、複数の分岐ホースを接続するとともに、各ボルトの先端部に、油圧式ボルト引張り具のめねじ部をねじ合わせ、ボルト引張り具ごとに１つの分岐ホースからの油圧を作用させる。これにより、ナットがそれぞれ手締めされた多数のボルトの先端部をそれぞれ軸方向に一定の張力で引っ張った状態で、各ナットを締め付けていくものである。
【特許文献１】特開平１０−２４９６５４号公報
【発明の開示】
【発明が解決しようとする課題】
【０００４】
ところで、上記の水圧鉄管は大径で、ひとつの接続箇所（継手）が４０本程度のボルト、ナットによって接続され、しかも、山の傾斜地など、足場が不安定な作業環境に配設されている。このため、すべてのボルト、ナットの締め付け量が均一になるように各ボルト、ナットを締め付けるには、少なくとも二人の作業員で同時に締め付けを行う必要がある。しかも、足場が不安定なことや、目視によって締め付け量を確認しなければならないことなどから、複数の作業員で締め付けを行っても、締め付け量を均一にすることが困難で、多大な時間と労力とを要する。
【０００５】
一方、上記特許文献１に記載された締付装置では、油圧ポンプや複数の分岐ホース、油圧式ボルト引張り具などの多数の構成要素を必要とし、しかも、各ボルトに油圧式ボルト引張り具のめねじ部をねじ合わせしなければならないため、作業場所が制限される。このため、上記のような作業環境に配設されている水圧鉄管のボルト、ナットの締め付けに、この締付装置を使用することは困難であり、しかも、この締付装置を山の傾斜地などに運搬するには、多大な時間と労力とを要する。
【０００６】
そこでこの発明は、複数のボルト、ナットによる締め付け量を均一にすることが可能で、しかも構成が簡易なナット締付工具およびナット締付工具用アダプタを提供することを目的とする。
【課題を解決するための手段】
【０００７】
上記目的を達成するために請求項１に記載の発明は、ナットを締め付けるレンチやスパナなどのナット締付工具であって、前記ナットを把持する把持部と、前記把持部から延びる棒状のハンドル部と、前記把持部側に配設され、前記ナットから突出するボルトの先端部の突出量を規制する規制部と、を備えることを特徴とする。
【０００８】
この発明によれば、ナットを把持部で把持した状態でナットを締め付けると、ナットからボルトの先端部が突出し、その突出量が規制部によって規制される。
【０００９】
請求項２に記載の発明は、ナットを締め付けるレンチやスパナなどのナット締付工具に取り付けられるナット締付工具用アダプタであって、前記ナットを把持するナット締付工具の把持部側に着脱自在に取り付けられる取付部と、前記取付部に配設され、前記ナットから突出するボルトの先端部の突出量を規制する規制部と、を備えることを特徴とする。
【００１０】
この発明によれば、ナット締付工具の把持部側に取付部を取り付けることでアダプタが取り付けられ、ナットを締付工具の把持部で把持した状態でナットを締め付けると、ナットからボルトの先端部が突出し、その突出量がアダプタの規制部によって規制される。
【００１１】
請求項３に記載の発明は、請求項１に記載のナット締付工具または請求項２に記載のナット締付工具アダプタにおいて、前記規制部による突出量が調整可能であることを特徴とする。
【００１２】
請求項４に記載の発明は、ナットを締め付けるレンチやスパナなどのナット締付工具であって、前記ナットを把持する把持部と、前記把持部から延びる棒状のハンドル部と、前記把持部側に配設され、前記ナットから突出するボルトの先端部の突出量を測定する測定部と、を備えることを特徴とする。
【００１３】
この発明によれば、ナットを把持部で把持した状態でナットを締め付けると、ナットからボルトの先端部が突出し、その突出量が測定部によって測定される。
【００１４】
請求項５に記載の発明は、ナットを締め付けるレンチやスパナなどのナット締付工具に取り付けられるナット締付工具用アダプタであって、前記ナットを把持するナット締付工具の把持部側に着脱自在に取り付けられる取付部と、前記取付部に配設され、前記ナットから突出するボルトの先端部の突出量を測定する測定部と、を備えることを特徴とする。
【００１５】
この発明によれば、ナット締付工具の把持部側に取付部を取り付けることでアダプタが取り付けられ、ナットを締付工具の把持部で把持した状態でナットを締め付けると、ナットからボルトの先端部が突出し、その突出量がアダプタの測定部によって測定される。
【発明の効果】
【００１６】
請求項１に記載の発明によれば、ナットから突出するボルトの先端部の突出量が規制されるため、その突出量を均一に規制することで、複数のボルト、ナットによる締め付け量を容易に均一にすることが可能となる。しかも、把持部側に規制部が配設されているだけであるため、構成が簡易で、足場が不安定な作業環境などにおいても使用することが可能となる。
【００１７】
請求項２に記載の発明によれば、既存（既製）のナット締付工具に本アダプタを取り付けることで、請求項１に記載の発明と同様に、複数のボルト、ナットによる締め付け量を容易に均一にすることが可能となる。しかも、取付部と規制部とを備えるだけであるため、構成が簡易である。
【００１８】
請求項３に記載の発明によれば、規制部によるボルトの突出量が調整可能であるため、締付対象などに応じた任意の突出量だけ、つまり所望の締め付け量だけ均一にナットを締め付けることが可能となる。
【００１９】
請求項４に記載の発明によれば、ナットから突出するボルトの先端部の突出量が測定されるため、測定した突出量を均一にすることで、複数のボルト、ナットによる締め付け量を容易に均一にすることが可能となる。しかも、把持部側に測定部が配設されているだけであるため、構成が簡易で、足場が不安定な作業環境などにおいても使用することが可能となる。
【００２０】
請求項５に記載の発明によれば、既存（既製）のナット締付工具に本アダプタを取り付けることで、請求項４に記載の発明と同様に、複数のボルト、ナットによる締め付け量を容易に均一にすることが可能となる。しかも、取付部と測定部とを備えるだけであるため、構成が簡易である。
【発明を実施するための最良の形態】
【００２１】
以下、この発明を図示の実施の形態に基づいて説明する。
【００２２】
（実施の形態１）
図１は、この実施の形態に係るラチェットレンチ（ナット締付工具）１を示す斜視図である。このラチェットレンチ１は、ナットやボルトを締め付けるレンチであり、通常のラチェットレンチと同様に、ソケット（把持部）１１とハンドル（ハンドル部）１２とを備え、さらに、ストッパ（規制部、測定部）１３を備えている。
【００２３】
ソケット１１は、リング状で、ナットやボルトの頭部を挿入して把持する把持部であり、ラチェット機構が内蔵されている。ハンドル１２は、ソケット１１から一体的に延びる棒状体で、ソケット１１とハンドル１２とは、通常のラチェットレンチと同等の構成となっている。
【００２４】
ストッパ１３は、筒体１４とストッパピン（規制部）１５とを備えている。筒体１４は、上板１４ａを備えた筒状で、次のようにしてソケット１１側に配設されている。すなわち、筒体１４の中心線がソケット１１の中心線と一致し、かつ、ソケット１１が突出している面と反対側の面から突出するように固定されている。また、筒体１４は透明な（透過性の）材料で構成され、図２に示すように、外周には目盛り（測定部）１４ｂが設けられている。
【００２５】
ストッパピン１５は、雄ネジから構成され、筒体１４の上板１４ａの中心に形成された雌ネジに螺合され、仮止めナット１６によって任意の位置で仮止めされるようになっている。そして、後述するように、ボルトＢの先端がストッパピン１５の先端に当たることで、ナットＮから突出するボルトＢの先端部の突出量を規制（制限）するものである。また、ストッパピン１５による規制量（ボルトＢの突出量）は、調整可能となっている。すなわち、ストッパピン１５の先端の位置を目盛り１４ｂで確認しながら所望の位置まで移動（螺合）させて、仮止めナット１６で仮止めすることで、ボルトＢの突出量を任意に調整できるようになっている。このように、目盛り１４ｂは、ストッパピン１５の先端の位置を調整するために使用するほかに、後述するように、ナットＮから突出するボルトＢの先端部の突出量を測定する測定部としても機能する。
【００２６】
次に、このような構成のラチェットレンチ１の作用などについて説明する。ここで、この実施の形態では、水力発電所に配設されている水圧鉄管同士を接続する複数のボルト、ナットを締め付ける場合について説明する。図３に示すように、この水圧鉄管Ｔは、山の傾斜地に配設され、複数の水圧鉄管が次のようにして接続されている。すなわち、図４に示すように、図中左側で上流側の水圧鉄管（以下、「第１の水圧鉄管」という）Ｔ１の一端部に、断面がＬ字状でリング状の第１のフランジＦ１がスライド自在に配設され、図中右側で下流側の水圧鉄管（以下、「第２の水圧鉄管」という）Ｔ２の一端部に、断面がＬ字状でリング状の第２のフランジＦ２が取り付けられている。
【００２７】
第１のフランジＦ１と第２のフランジＦ２とは、第１のフランジＦ１の水平板部Ｆ１ａが第２のフランジＦ２の水平板部Ｆ２ａと第１の水圧鉄管Ｔ１とで挟まれるように配設されている。さらに、第１のフランジＦ１の水平板部Ｆ１ａの先端部側で、第２のフランジＦ２の水平板部Ｆ２ａと第１の水圧鉄管Ｔ１との間には、複数の丸ゴムパッキンＰ１と麻角パッキンＰ２とが配設され、第２のフランジＦ２の水平板部Ｆ２ａには、第１のフランジＦ１の水平板部Ｆ１ａと対向するように挟持板Ｆ２ｃが取り付けられている。つまり、パッキンＰ１、Ｐ２は、第２のフランジＦ２の水平板部Ｆ２ａと第１の水圧鉄管Ｔ１、および、第１のフランジＦ１の水平板部Ｆ１ａと挟持板Ｆ２ｃとで、挟まれている。
【００２８】
また、第１のフランジＦ１の垂直板部Ｆ１ｂと第２のフランジＦ２の垂直板部Ｆ２ｂとには、同心上に複数のボルト挿入孔（図示せず）が形成され、このボルト挿入孔にボルトＢが挿入され、その先端部側にナットＮが螺合されている。そして、ボルトＢ、ナットＮを締め付けることで、第１のフランジＦ１の水平板部Ｆ１ａと挟持板Ｆ２ｃとの間隔が狭まり、パッキンＰ１、Ｐ２による水密性が維持、向上されるものである。また、水圧鉄管Ｔは大径で、図５に示すように、ひとつの接続箇所（継手）で４０本前後のボルトＢ、ナットＮが使用されている。
【００２９】
このような水圧鉄管Ｔに対して、パッキンＰ１、Ｐ２による水密性を維持、向上させて漏水を防止するには、次のようにしてボルトＢ、ナットＮを締め付ける（増し締めする）。まず、上記のようにして、ラチェットレンチ１のストッパピン１５を所望の位置に仮止めして、ボルトＢの突出量を調整し、この状態でソケット１１を最初のナットＮに挿入（装着）する。次に、このナットＮと螺合するボルトＢの頭部を別のレンチやスパナで押さえ、ラチェットレンチ１のハンドル１２を回動させる。そして、ボルトＢの先端がストッパピン１５の先端に当たって時点で、ハンドル１２の回動を停止する。このようなボルトＢ、ナットＮの締め付けを、ストッパピン１５の位置を変えずに、すべてのボルトＢ、ナットＮに対して行う。これにより、すべてのボルトＢ、ナットＮによる締め付け量が均一になり、パッキンＰ１、Ｐ２が均一に挟まれる（圧縮される）。
【００３０】
また、作業環境が狭く、ストッパピン１５を使用できない場合などには、次のようにしてボルトＢ、ナットＮを締め付ける。まず、図２に示すように、ストッパピン１５を取り外し、ラチェットレンチ１のソケット１１を最初のナットＮに挿入する。次に、このナットＮと螺合するボルトＢの頭部を別のレンチやスパナで押さえ、ラチェットレンチ１のハンドル１２を回動させる。そして、ボルトＢの先端を目盛り１４ｂで確認しながら、つまりボルトＢの先端部の突出量を測定しながら、所望の目盛り位置まで突出させた時点で、ハンドル１２の回動を停止する。このようなボルトＢ、ナットＮの締め付けを、回動を停止する（ボルトＢの先端の）目盛り位置を変えずに、すべてのボルトＢ、ナットＮに対して行うものである。
【００３１】
以上のように、このラチェットレンチ１によれば、ストッパピン１５によって、ナットＮから突出するボルトＢの先端部の突出量が均一に規制（制御）されるため、すべてのボルトＢ、ナットＮによる締め付け量を容易かつ短時間に均一にすることが可能となる。しかも、ストッパピン１５の位置を調整することで、ボルトＢの突出量を調整できるため、締付対象などに応じた任意の突出量だけ、つまり所望の締め付け量だけ均一にボルトＢ、ナットＮを締め付けることが可能となる。
【００３２】
また、目盛り１４ｂを備えているため、目盛り１４ｂを見ながらすべてのボルトＢの突出量を均一にすることで、すべてのボルトＢ、ナットＮによる締め付け量を容易に均一にすることが可能となる。一方、ストッパピン１５を取り外すことで、任意のボルトＢの突出量を任意に調整することが可能となり、締付対象などに応じて各ボルトＢ、ナットＮの締め付け量を変化させることができる。さらに、通常のラチェットレンチにストッパ１３を備えるだけであるため、構成が簡易で、しかも持ち運びが容易で、足場が不安定な作業環境などにおいても持ち込み、使用することが可能となる。
【００３３】
（実施の形態２）
図６は、この実施の形態に係るレンチアダプタ（ナット締付工具用アダプタ）２をラチェットレンチ（ナット締付工具）３に取り付けた状態を示す正面図である。このレンチアダプタ２はラチェットレンチ３に着脱自在で、実施の形態１におけるストッパ１３と同様に、筒体２１とストッパピン（規制部）２２とを備え、筒体２１の外周には目盛り（測定部）２３が設けられている。
【００３４】
筒体２１の下端側の開口部２１ａは、ラチェットレンチ３の第１のソケット３１に着脱自在に取り付けるための取付部となっている。すなわち、ラチェットレンチ３は、ヘッド部３ａの両側面から大きさが異なる第１のソケット（把持部）３１と第２のソケット（把持部）３２とを備えた両口ラチェットレンチで、ヘッド部３ａ（ソケット３１、３２）から一体的に棒状のハンドル（ハンドル部）３３が延びている。一方、筒体２１の内径が、第１のソケット３１の外径とほぼ同寸法に設定され、開口端（下端）から上側に向けて狭まるテーパ状（円錐状）に形成されている。そして、筒体２１の開口部２１ａを第１のソケット３１に圧入、装着することで、レンチアダプタ２がラチェットレンチ３に取り付けられ、筒体２１を第１のソケット３１から引き抜くことで、レンチアダプタ２を取り外せるようになっている。このような取付部としての開口部２１ａに、筒体２１が一体的に形成され、実施の形態１と同様に、筒体２１の上板にストッパピン２２が配設され、筒体２１の外周に目盛り２３が設けられている。
【００３５】
このような構成のレンチアダプタ２によれば、既存（既製）のラチェットレンチ３に本アダプタ２を取り付けることで、実施の形態１と同様に、複数のボルトＢ、ナットＮによる締め付け量を容易かつ短時間に均一にすることが可能となる。しかも、既存のラチェットレンチ３に着脱自在なため、既存のラチェットレンチ３を有効に活用できるとともに、レンチアダプタ２が不必要な場合には取り外して、通常通りにラチェットレンチ３を使用することができる。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ナット締付工具がラチェットレンチの場合について説明したが、モンキーレンチやコンビネーションレンチ、あるいはスパナなどにも適用できることは勿論である。また、ストッパ１３が規制部と測定部としての機能を備えているが、規制部のみ、つまりストッパピン１５、２２のみ、あるいは測定部のみ、つまり目盛り１４ｂ、２３のみを備えた構成であってもよい。さらに、実施の形態２では、レンチアダプタ２がラチェットレンチ３の第１のソケット３１に着脱自在となっているが、ネジやスプリングなどを介してラチェットレンチ３のヘッド部３ａに着脱自在としてもよい。
【図面の簡単な説明】
【００３７】
【図１】この発明の実施の形態１に係るラチェットレンチを示す斜視図である。
【図２】図１のラチェットレンチのストッパピンを外した状態を示す正面図である。
【図３】図１のラチェットレンチを使用する締付対象である水圧鉄管を示す斜視図である。
【図４】図３の水圧鉄管の接続状態を示す断面図である。
【図５】図３の水圧鉄管の接続部を示す斜視図である。
【図６】この発明の実施の形態２にレンチアダプタをラチェットレンチに取り付けた状態を示す正面図である。
【符号の説明】
【００３８】
１          ラチェットレンチ（ナット締付工具）
１１        ソケット（把持部）
１２        ハンドル（ハンドル部）
１３        ストッパ（規制部、測定部）
１４        筒体
１４ｂ      目盛り（測定部）
１５        ストッパピン（規制部）
１６        仮止めナット
２          レンチアダプタ（ナット締付工具用アダプタ）
２１        筒体
２１ａ      開口部（取付部）
２２        ストッパピン（規制部）
２３        目盛り（測定部）
３          ラチェットレンチ（ナット締付工具）
３１、３２  ソケット（把持部）
３３        ハンドル（ハンドル部）
Ｎ          ナット
Ｂ          ボルト
Ｔ          水圧鉄管
【図１】
2009262250.tif 000003
【図２】
2009262250.tif 000004
【図３】
2009262250.tif 000005
【図４】
2009262250.tif 000006
【図５】
2009262250.tif 000007
【図６】
2009262250.tif 000008